(57)【要約】【課題】安全性及び施工性に優れ、好適に勾配を設けることができる勾配付き排水溝の提供。【解決手段】勾配付き排水溝１は、上下幅の異なる軽量管体５ａ〜５ｄを連結する異形接続継手６，６…と、異形接続継手６，６…を介して流下方向に上下幅の小さいものから段階的に連結される上下幅の異なる複数の軽量管体５ａ〜５ｄとを備え、異形接続継手６は、連結大筒部８の上端面と連結小筒部９の上端面とが連続するように、連結大筒部８に対し連結小筒部９が上面側に偏って配置され、排水溝本体２の上端面が流下方向に連続するとともに、排水溝本体２の底部に段状の勾配ｙ／ｘが形成されるようにしている。【選択図】図２
2019011557.tif 000002
【特許請求の範囲】
【請求項１】
地表面下の所望の深さに埋設された排水溝本体と、該排水溝本体の上面に固定され、上端開口部が前記地表面に露出する縦向き筒状の通水体とを備え、地表から前記通水体内に流入した水が前記排水溝本体の上面に開口した取水口より排水溝本体内に流入するようにしてなる排水溝であって、
前記排水溝本体は、上下幅の異なる軽量管体を連結する異形接続継手と、前記異形接続継手を介して流下方向に上下幅の小さいものから段階的に連結される上下幅の異なる複数の軽量管体とを備え、
該異形接続継手は、板状のフランジ部と、該フランジ部を介して連通する互いに上下幅の異なる筒状の連結大筒部及び連結小筒部とを備え、前記連結大筒部の上端面と前記連結小筒部の上端面とが連続するように、前記連結大筒部に対し上下幅の小さい連結小筒部が上面側に偏って配置され、
前記排水溝本体の上端面が流下方向に連続するとともに、前記排水溝本体の底部に勾配が形成されるようにしたことを特徴とする勾配付き排水溝。
【請求項２】
前記軽量管体及び／又は異形接続継手は、合成樹脂製である請求項１に記載の勾配付き排水溝。
【請求項３】
前記異形接続継手は、一辺が前記連結小筒部の外側面に固定され、他辺が前記フランジ部の表面に固定された補強リブを備えている請求項１又は２に記載の勾配付き排水溝。
【請求項４】
前記通水体は、下端開口縁部より外向きに張り出した固定片を備え、該固定片が前記軽量管体の外面に沿って固定されるようにしている請求項１〜３の何れか一に記載の勾配付き排水溝。
【請求項５】
前記異形接続継手は、高さ調節機構付き支持台に支持されている請求項１〜４の何れか一に記載の勾配付き排水溝。
【発明の詳細な説明】
【技術分野】
【０００１】
本発明は、道路、公園、スポーツ施設、ビルの周囲等に設置される勾配付き排水溝に関する。
【背景技術】
【０００２】
従来、道路、公園、スポーツ施設、ビルの周囲等に設置される排水溝には、Ｕ字溝ブロック等のコンクリート製溝ブロックを使用したものが一般に広く用いられている。
【０００３】
また、このような排水溝では、平坦な場所や坂道等において水を所望の方向に流下させるために勾配を設けることも知られている。
【０００４】
従来、コンクリート製の溝ブロックを使用した排水溝の勾配は、Ｕ字溝ブロック等のコンクリート製の溝ブロックを設置した後、溝ブロックの底部に傾斜を整えつつ場所打ちコンクリートを打設して所定の勾配を形成している（例えば、特許文献１を参照）。
【０００５】
また、近年では、塩化ビニール管等の合成樹脂製の軽量管体を用いた排水溝構造も提案されている（例えば、特許文献２を参照）。
【０００６】
この排水溝は、地表面下の所望の深さに埋設された塩化ビニール管等の軽量管体からなる排水溝本体と、排水溝本体の上面に固定され、上端開口部が地表面に露出する縦向き筒状の通水体と、通水体の上面開口部に嵌合されたグレーチングとを備え、地表からグレーチングを通して通水体内に流入した水が排水溝本体の上面に開口した取水口より排水溝本体内に流入するようにしている。
【０００７】
また、この種の軽量管体を用いた管路においては、例えば、図１１に示すように、軽量管体３０，３０が連結される部分（以下、連結部３１，３１という）の間に勾配を付けた管体（以下、勾配部３２という）で連結してなる曲がり継手３３を使用し、この曲がり継手３３を介して軸方向に隣り合う軽量管体３０，３０を連結し、軽量管体３０，３０の埋設深さを上下に違えることによって管路に勾配を設けることが知られている（例えば、特許文献３を参照）。尚、図中符号３４は、各軽量管体３０の上面部に固定された通水体である。
【先行技術文献】
【特許文献】
【０００８】
【特許文献１】実公昭５６  −０５１１１３号公報
【特許文献２】特開２００９−２４３１８５号公報
【特許文献３】特開２００７―３０８９６１号公報
【発明の概要】
【発明が解決しようとする課題】
【０００９】
しかしながら、上述の如き従来の側溝ブロックを用いた排水溝では、溝ブロックがコンクリート製で重く、人力での運搬や設置作業が困難であることから、安全性や施工性が悪く、施工に長時間を要するという問題があった。特に、重機や運搬車両の進入が困難な狭隘な場所では、その問題が顕著であり、施工が非常に困難であるという問題があった。
【００１０】
また、この溝ブロックを用いた排水溝では、溝ブロックを設置した後に、ブロック底部に場所打ちコンクリートを打設して勾配を設けるため、コンクリートの打設やその養生等に多大な時間を要し、工期が長期化するという問題があった。
【００１１】
一方、上述の従来の塩化ビニール管等の合成樹脂製の軽量管体を用いた排水溝では、勾配を設けた場合、図１１に示すように、各軽量管体３０，３０の地表面Ａからの深さｄ１，ｄ２が各々異なるため、各軽量管体３０，３０の上面に固定される通水体３４，３４もそれに合わせて高さ調節可能とするか、或いは、高さの異なる複数種の通水体を用意する必要があることから、製造コストが嵩み、コスト低減が望まれている。
【００１２】
そこで、本発明は、このような従来の問題に鑑み、安全性及び施工性に優れ、好適に勾配を設けることができる勾配付き排水溝の提供を目的としてなされたものである。
【課題を解決するための手段】
【００１３】
上述の如き従来の問題を解決するための請求項1に記載の発明の特徴は、地表面下の所望の深さに埋設された排水溝本体と、該排水溝本体の上面に固定され、上端開口部が前記地表面に露出する縦向き筒状の通水体とを備え、地表から前記通水体内に流入した水が前記排水溝本体の上面に開口した取水口より排水溝本体内に流入するようにしてなる排水溝であって、前記排水溝本体は、上下幅の異なる軽量管体を連結する異形接続継手と、前記異形接続継手を介して流下方向に上下幅の小さいものから段階的に連結される上下幅の異なる複数の軽量管体とを備え、該異形接続継手は、板状のフランジ部と、該フランジ部を介して連通する互いに上下幅の異なる筒状の連結大筒部及び連結小筒部とを備え、前記連結大筒部の上端面と前記連結小筒部の上端面とが連続するように、前記連結大筒部に対し上下幅の小さい連結小筒部が上面側に偏って配置され、前記排水溝本体の上端面が流下方向に連続するとともに、前記排水溝本体の底部に勾配が形成されるようにした勾配付き排水溝にある。
【００１４】
請求項２に記載の発明の特徴は、請求項１の構成に加え、前記軽量管体及び／又は異形接続継手は、合成樹脂製であることにある。
【００１５】
請求項３に記載の発明の特徴は、請求項１又は２の構成に加え、前記異形接続継手は、一辺が前記前記連結小筒部の外側面に固定され、他辺が前記フランジ部の表面に固定された補強リブを備えていることにある。
【００１６】
請求項４に記載の発明の特徴は、請求項１〜３の何れか一の構成に加え、前記通水体は、下端開口縁部より外向きに張り出した固定片を備え、該固定片が前記軽量管体の外面に沿って固定されるようにしていることにある。
【００１７】
請求項５に記載の発明の特徴は、請求項１〜４の何れか一の構成に加え、前記異形接続継手が高さ調節機構付き支持台に支持されていることにある。
【発明の効果】
【００１８】
本発明に係る勾配付き排水溝は、請求項１に記載の構成を具備することによって、施工性に優れ、容易に勾配付きの排水溝を構築することができる。また、この勾配付き排水溝は、地表面から各軽量管体の上面までの距離が一定であり、高さが同一な一種類の通水体を用意すればよく、通水体の製造コストを抑えることができ、その分、排水溝全体で製造コストの低減を図ることができる。さらに、この勾配付き排水溝では、異形接続継手自体に勾配付きの管体部分（図１１に示す従来例の勾配部）を設ける必要がなく、軽量管体同士を突き合わせた配置に連結できるので、軽量管体同士が断続した配置とならず、通水体を途切れることなく連続して配置することができる。
【００１９】
また、本発明において、請求項２に記載の構成を具備することによって、人力で軽量管体の運搬及び設置作業が可能となり、狭隘な場所でも容易に排水溝を構築することができる。
【００２０】
さらに、本発明において、請求項３に記載の構成を具備することによって、連結部分の曲げ耐力を高めることができる。
【００２１】
さらにまた、本発明において、請求項４に記載の構成を具備することによって、外径の異なる円筒状の各軽量管体に容易に通水体を固定することができる。
【００２２】
また、本発明において、請求項５に記載の構成を具備することによって、排水溝本体のレベル調整を容易に行うことができる。
【図面の簡単な説明】
【００２３】
【図１】本発明に係る勾配付き排水溝の使用態様を示す概略側面図である。
【図２】同上の勾配付き排水溝を示す概略平面図である。
【図３】図１中の勾配付き排水路を構成する軽量管体及び通水体を示す分解斜視図である。
【図４】図１中の継手部分を示す部分拡大側面図である。
【図５】同上の縦断面図である。
【図６】図１中の異形接続継手を示す側面図、（ｂ）は同平面図、（ｃ）は同背面図、（ｄ）は同縦断面図である。
【図７】勾配付き排水溝の設置状態の一例を示す側面図である。
【図８】図１中のＡ-Ａ線矢視拡大断面図である。
【図９】同上の同Ｂ-Ｂ線矢視断面図である。
【図１０】本発明に係る勾配付き排水溝の他の一例を示す継手部分の拡大斜視図である。
【図１１】従来の合成樹脂製軽量管体を使用した勾配付き排水路の一例を示す側面図である。
【発明を実施するための形態】
【００２４】
次に、本発明に係る勾配付き排水溝の実施態様を図１〜図１０に示した実施例に基づいて説明する。尚、図中符号Ａは地表面、符号Ｂは集水桝、符号１は勾配付き排水溝である。
【００２５】
この勾配付き排水溝１は、図１、図２に示すように、地表面Ａ下の所望の深さに埋設された排水溝本体２と、排水溝本体２の上面に固定され、上端開口部が地表面Ａに露出する縦向き筒状の通水体３，３…とを備え、地表から通水体３，３…内に流入した水が排水溝本体２の上面に開口した取水口４，４…より排水溝本体２内に流入し、勾配ｙ／ｘによって所望の方向（本実施例においては集水桝Ｂ側に向けて）流下するようになっている。
【００２６】
排水溝本体２は、上下幅の異なる軽量管体５ａ〜５ｄを連結する異形接続継手６，６…と、異形接続継手６，６…を介して流下方向に上下幅の小さいものから段階的に連結される上下幅の異なる複数の軽量管体５ａ〜５ｄとを備え、各軽量管体５ａ〜５ｄの上端面が流路方向に連続するとともに底部に所望の勾配ｙ／ｘが形成されている。
【００２７】
軽量管体５ａ〜５ｄは、図３に示すように、塩化ビニール樹脂等の合成樹脂によってそれぞれ所定の長さ及び直径の円筒状に形成されている。尚、本実施例では、円筒状の軽量管体５ａ〜５ｄの直径が上下幅に該当する。
【００２８】
また、各軽量管体５ａ〜５ｄの上面部には、管内外で貫通した取水口４，４…が形成され、この取水口４，４…を囲むように通水体３，３…が固定される。
【００２９】
異形接続継手６，６…は、図４〜６に示すように、塩化ビニール樹脂等の合成樹脂によって一体に形成され、円板状のフランジ部７と、フランジ部７を介して連通する互いに直径（上下幅）の異なる円筒状の連結大筒部８及び連結小筒部９とを備えている。
【００３０】
連結大筒部８は、連結する一方の軽量管体５ｂ（５ｃ，５ｄ）の直径と略同じ内径Ｄを有する所定の肉厚ｔの円筒状に形成され、一端がフランジ部７の片面の外縁に一体に固定され、他端開口より軽量管体５ｂ（５ｃ，５ｄ）が挿入嵌合されるようになっている。
【００３１】
連結小筒部９は、連結する他方の軽量管体５ａ（５ｂ，５ｃ）の直径と略同じ内径ｄを有する連結大筒部８と同じ肉厚ｔの円筒状に形成され、筒軸方向の一端がフランジ部７の他方の面に一体に固定され、他端開口より軽量管体５ａ（５ｂ，５ｃ）が挿入嵌合されるようになっている。
【００３２】
また、この連結小筒部９は、連結大筒部８に対し（連結大筒部８の内径Ｄ−連結小筒部９の内径ｄ）の１／２だけ直径方向に偏って（偏心して）配置され、連結大筒部８の上端面と連結小筒部９の上端面とが流下方向で連続し、異形接続継手６の底部に高さが（連結大筒部８の内径Ｄ−連結小筒部９の内径ｄ）の段差が形成されている。
【００３３】
フランジ部７は、連結大筒部８の直径と略同径の円盤状に形成され、板厚方向に貫通した連結小筒部９と同心配置の連通孔１０を備え、連通孔１０を通して連結大筒部８と連結小筒部９とが連通している。
【００３４】
連通孔１０は、連結小筒部９の内径ｄよりやや小径に形成され、フランジ部７の表面が連結大筒部８及び連結小筒部９の内周面より内側に張り出した当て止め部１１を成し、当て止め部１１に各軽量管体５ａ，５ｂの端部が突き当てられるようになっている。
【００３５】
また、異形接続継手６，６…には、一辺が連結小筒部９の外側面に固定され、他辺がフランジ部７の表面に固定された補強リブ１２，１２…を備え、各軽量管体５ａ〜５ｄの連結部分が強化されている。
【００３６】
尚、各異形接続継手６，６…は、高さ調節機構付き支持台１３に支持され、高さ調節機構付き支持台１３の高さ調節によって地表面Ａに対する排水溝本体２の上端面のレベルを調節できるようにしてもよい。
【００３７】
高さ調節機構付き支持台１３は、例えば、図７に示すように、連結大筒部８の外側に嵌合される固定枠部１４と、固定枠部１４の両側部に上端が移動可能に連結された支持柱１５，１５と、支持柱１５，１５の下端が支持される支持基部１６とを備え、支持基部１６を地中に形成された溝底部に設置するようになっている。
【００３８】
この高さ調節機構付き支持台１３は、支持柱１５，１５の上端に雄ネジ部１５ａを備え、この雄ネジ部１５ａを固定枠部１４の両側に張り出した連結片１４ａ，１４ａに貫通させ、所望の位置にナット１７で締結させることにより高さ調節ができるようになっている。
【００３９】
また、この高さ調節機構付き支持台１３は、支持基部１６に対し支持柱１５，１５の下端がスライド可能に支持され、両支持柱１５，１５間距離を調節することができ、径の異なる複数種の固定枠部１４を備えることによって、各異形接続継手６，６…に対応できるようになっている。
【００４０】
通水体３，３…は、ステンレス等の薄肉金属板材をもって軽量管体軸方向に細長い矩形開口を有する角筒状に形成され、各軽量管体５ａ〜５ｄの上面に縦向きに設置されている。
【００４１】
この通水体３，３…は、長手方向が各軽量管体５ａ〜５ｄと略等しい長さに形成され、下端側の開口内に、軽量管体５ａ〜５ｄの上面に形成された複数の取水口４，４…が配置されるように軽量管体５ａ〜５ｄ上面部に固定されている。
【００４２】
また、この通水体３，３…は、地表面Ａから排水溝本体２上面までの高さに整合させた高さに形成され、上端開口が地表面Ａに露出し、地表面Ａ上を流れる水は、この通水体３，３…より流入し、取水口４，４…を通して各軽量管体５ａ〜５ｄからなる排水溝本体２内に取り入れられるようになっている。
【００４３】
この通水体３，３…の下部には、下端開口縁部より外向きに張り出した固定片１８，１８を備え、固定片１８，１８が軽量管体５ａ〜５ｄの外面に沿って固定されるようにしている。
【００４４】
固定片１８，１８は、図３、図８、図９に示すように、通水体３の矩形開口短手方向に対向する側壁の下縁から外向きに突設した可撓性を有する板状材からなっており、各軽量管体５ａ〜５ｄの外周面に沿って重ねられるように略弧状を成している。
【００４５】
また、固定片１８，１８には、複数の固定用貫通孔１９が形成され、この固定用貫通孔１９は、各軽量管体５ａ〜５ｄに形成されている固定用貫通孔２０に対応する位置に形成されており、これらの固定用貫通孔１９，２０にブラインドリベット等の固定具２１を挿通し、このブラインドリベット等の固定具２１によって、通水体３，３…の固定片１８，１８と軽量管体５ａ〜５ｄとが固定される。
【００４６】
また、通水体３，３…の長手方向両端部の下側には、内側に凹んだ形状、即ちテーパ状に形成された回避用凹部２２を備え、通水体３，３…同士を長手方向に突き合わせ配置とした場合、回避用凹部２２によって回避空間が形成され、通水体３，３…と異形接続継手６，６…とが互いに干渉しないようになっている。
【００４７】
さらに、通水体３，３…の上端開口部には、矩形開口の短手方向に支持板２３が架設され、支持板２３上に載置された状態でグレーチング２４が嵌合されるようになっている。
【００４８】
このような勾配付き排水溝１の設置は、地表面Ａより所定の深さまで掘削し、排水溝用の溝を形成し、必要に応じて底部に平坦な土台部を形成する。
【００４９】
次に、上下幅（直径）の異なる複数の軽量管体５ａ〜５ｄと、それらを連結する異形接続継手６，６…とを施工現場に搬送し、溝内又は溝の近傍で各軽量管体５ａ〜５ｄを連結し、排水溝本体２を組み立てる。尚、各軽量管体５ａ〜５ｄには、予め通水体３，３…を固定しておくことが望ましい。
【００５０】
その際、軽量管体５ａ〜５ｄは、塩化ビニール樹脂等の合成樹脂製で軽量であるので、人力で運搬及び設置作業が可能となっている。
【００５１】
各軽量管体５ａ〜５ｄの組み立ては、異形接続継手６，６…を介して流下方向に上下幅（直径）の小さなものから段階的に連結することにより、排水溝本体２の上端面が流下方向で連続するとともに、排水溝本体２の底部に段状の流下方向に向けた下り勾配ｙ／ｘが形成される。
【００５２】
例えば、全長１０ｍの排水溝においては、直径がそれぞれ１００ｍｍ、１２５ｍｍ、１５０ｍｍ、２００ｍｍ、２５０ｍｍの長さ２ｍの軽量管体を段階的に連結することによって、１．５／１００の下り勾配ｙ／ｘが形成される。
【００５３】
そして、各高さ調節機構付き支持台１３の高さを調節し、地表面Ａに対する排水溝本体２のレベル、即ち、各通水体３，３…の上端開口が地表面Ａに露出する高さに調節し、しかる後、溝を埋め戻すとともに地表面Ａ部をコンクリートやアスファルト等によって舗装し、通水体３，３…の上面開口部にグレーチング２４を嵌合させる。
【００５４】
このように構成された勾配付き排水溝１は、異形接続継手６，６…を介して上下幅の異なる管体を流下方向に上下幅の小さなものから段階的に連結したことによって、排水溝本体２の上端面を流下方向に連続して形成することができるとともに、排水溝本体２の底部に段状に形成された所望の下り勾配ｙ／ｘを形成することができる。
【００５５】
即ち、この勾配付き排水溝１は、塩化ビニール管等の軽量管体を使用した簡便な構造で勾配ｙ／ｘ付きの排水溝を形成することができるとともに、地表面Ａから排水溝本体２の上端面までの距離を排水溝全長に亘って一定とすることができ、排水溝の全長に亘って同じ高さの統一された通水体３，３…を使用することができる。
【００５６】
よって、この勾配付き排水溝１では、使用する通水体３，３…を同一の規格で製造でき、その分、製造コストが低減され、排水溝全体のコストダウンを図ることができる。
【００５７】
また、この勾配付き排水溝１では、塩化ビニール樹脂等の合成樹脂からなる軽量管体５ａ〜５ｄ及び異形接続継手６，６…を使用しているので、人力で軽量管体５ａ〜５ｄの運搬及び設置作業を行うことができ、効率がよく、且つ、安全に作業を行えるようになっている。
【００５８】
尚、上述の実施例では、円筒状の軽量管体５ａ〜５ｄを用いた例について説明したが、軽量管体５ａ〜５ｄは、円筒状に限定されず、例えば、図１０に示すように、横幅が同一で上下幅がそれぞれ異なる複数の角筒状の軽量管体２５ａ，２５ｂ及び異形接続継手２６を用いてもよい。
【００５９】
また、上述の実施例では、軽量管体５ａ〜５ｄ及び異形接続継手６，６…を塩化ビニール樹脂等の合成樹脂で形成した例について説明したが、軽量管体５ａ〜５ｄ及び異形接続継手６，６…の何れか一方又は両方を軽量なステンレス鋼等によって形成してもよい。
【符号の説明】
【００６０】
Ａ  地表面
Ｂ  集水桝
１  勾配付き排水溝
２  排水溝本体
３  通水体
４  取水口
５ａ〜５ｄ  軽量管体
６  異形接続継手
７  フランジ部
８  連結大筒部
９  連結小筒部
１０  連通孔
１１  当て止め部
１２  補強リブ
１３  高さ調節機構付き支持台
１４  固定枠部
１５  支持柱
１６  支持基部
１７  ナット
１８  固定片
１９  固定用貫通孔
２０  固定用貫通孔
２１  固定具（ブランインドリベット）
２２  回避用凹部
２３  支持板
２４  グレーチング
２５ａ，２５ｂ
２６  異形接続継手
【図１】
2019011557.tif 000003
【図２】
2019011557.tif 000004
【図３】
2019011557.tif 000005
【図４】
2019011557.tif 000006
【図５】
2019011557.tif 000007
【図６】
2019011557.tif 000008
【図７】
2019011557.tif 000009
【図８】
2019011557.tif 000010
【図９】
2019011557.tif 000011
【図１０】
2019011557.tif 000012
【図１１】
2019011557.tif 000013